(57)【要約】【課題】ガラス繊維を含む樹脂からなる、光吸収性を抑えたケースを備えた、光取出効率に優れる発光装置を提供する。【解決手段】一実施の形態において、ＬＥＤチップ４と、ＬＥＤチップ４を囲んでＬＥＤチップ４から放出された光を反射する側壁部２ａを有するケース２と、を有する発光装置１を提供する。発光装置１において、ケース２は、射出成形によって一体成形された、ガラス繊維２２を含む樹脂２１からなり、ガラス繊維２２の平均長は、側壁部２ａの肉厚よりも大きく、樹脂２１とガラス繊維２２の屈折率が異なる。【選択図】図１
2014022407.tif 000002
【特許請求の範囲】
【請求項１】
ＬＥＤチップと、
前記ＬＥＤチップを囲んで前記ＬＥＤチップから放出された光を反射する側壁部を有するケースと、
を有し、
前記ケースは、射出成形によって一体成形された、ガラス繊維を含む樹脂からなり、
前記ガラス繊維の平均長は、前記側壁部の肉厚よりも大きく、
前記樹脂と前記ガラス繊維の屈折率が異なる、発光装置。
【請求項２】
前記側壁部の肉厚は、６５μｍ以上、１０５μｍ以下であり、
前記ガラス繊維の平均長は、２３０μｍ以上、前記ケースの短手方向の幅以下である、
請求項１に記載の発光装置。
【請求項３】
サイドビュー型の発光装置である、
請求項１又は２に記載の発光装置。
【発明の詳細な説明】
【技術分野】
【０００１】
本発明は、発光装置に関する。
【背景技術】
【０００２】
従来の発光装置として、ガラス繊維を含有する放熱性樹脂組成物からなるリフレクターを備えた発光素子が知られている（例えば、特許文献１参照）。
【０００３】
特許文献１は、放熱性組成物を用いて得られた成形品に含まれるガラス繊維の残存平均繊維長が所定の範囲にあると、得られる成形品の剛性が一段と優れることを開示している。
【先行技術文献】
【特許文献】
【０００４】
【特許文献１】特開２０１０−１００６８２号公報
【発明の概要】
【発明が解決しようとする課題】
【０００５】
本発明の目的は、ガラス繊維を含む樹脂からなる、光吸収性を抑えたケースを備えた、光取出効率に優れる発光装置を提供することにある。
【課題を解決するための手段】
【０００６】
上記目的を達成するため、本発明の一態様は、ＬＥＤチップと、前記ＬＥＤチップを囲んで前記ＬＥＤチップから放出された光を反射する側壁部を有するケースと、を有し、前記ケースは、射出成形によって一体成形された、ガラス繊維を含む樹脂からなり、前記ガラス繊維の平均長は、前記側壁部の肉厚よりも大きく、前記樹脂と前記ガラス繊維の屈折率が異なる、発光装置を提供する。
【０００７】
上記発光装置において、前記側壁部の肉厚は、６５μｍ以上、１０５μｍ以下であり、前記ガラス繊維の平均長は、２３０μｍ以上、前記ケースの短手方向の幅以下であってもよい。
【０００８】
上記発光装置は、サイドビュー型の発光装置であってもよい。
【発明の効果】
【０００９】
本発明によれば、ガラス繊維を含む樹脂からなる、光吸収性を抑えたケースを備えた、光取出効率に優れる発光装置を提供することができる。
【図面の簡単な説明】
【００１０】
【図１】図１（ａ）、（ｂ）は、それぞれ実施の形態に係る発光装置の上面図及び側面図である。また、図１（ｃ）は、図１（ａ）の線分Ａ−Ａにおいて切断された実施の形態に係る発光装置の垂直断面図である。
【図２】図２は、ガラス繊維の平均長と発光装置の光束との関係を表すグラフである。
【図３】図３は、樹脂押出機のスクリューの回転数とガラス繊維の平均長の関係の一例を表すグラフである。
【発明を実施するための形態】
【００１１】
〔実施の形態〕
（発光装置の構造）
図１（ａ）、（ｂ）は、それぞれ実施の形態に係る発光装置の上面図及び側面図である。また、図１（ｃ）は、図１（ａ）の線分Ａ−Ａにおいて切断された実施の形態に係る発光装置の垂直断面図である。
【００１２】
発光装置１は、リードフレーム３（３ａ、３ｂ）に実装されたＬＥＤチップ４と、ＬＥＤチップ４を封止する封止材６と、を有する。リードフレーム３、ＬＥＤチップ４、及び封止材６は、ケース２内に形成される。なお、図１（ａ）においては、封止材６の図示を省略する。
【００１３】
ケース２は、ＬＥＤチップ４を囲んでＬＥＤチップ４から放出された光を反射する側壁部２ａと、リードフレーム３下の底壁部２ｂとを有する。また、ケース２のゲート部２ｃは、後述するように、射出成形に用いられる金型のゲートの跡である。ケース２は、ガラス繊維２２を含む樹脂２１を射出成形することにより得られ、側壁部２ａ、底壁部２ｂ、及びゲート部２ｃは一体に成形される。
【００１４】
ケース２を構成する樹脂２１は、例えば、ポリフタルアミド樹脂、ＬＣＰ（Liquid Crystal Polymer）、ＰＣＴ（Polycyclohexylene Dimethylene Terephalate）等の熱可塑性樹脂、シリコーン樹脂、変性シリコーン樹脂、エポキシ樹脂、変性エポキシ樹脂等の熱硬化性樹脂である。
【００１５】
側壁部２ａは、例えば、図１に示されるように、ケース２の成形時に金型から取り出しやすくするために、肉厚が底部から上部にかけて小さくなる形状を有する。図１においては、上部の最も薄い部分の肉厚がＴ１、底部の最も厚い部分の肉厚がＴ２として表される。Ｔ１は、例えば６５μｍであり、Ｔ２は、例えば１０５μｍである。側壁部２ａの肉厚が６５μｍよりも薄い場合は、強度が不足することにより破損するおそれがあり、１０５μｍよりも厚い場合は、ケース２の短手方向の幅Ｗが、発光装置１を後述するようなサイドビュー型等の薄型の発光装置として用いることが困難な程の値になる場合がある。ただし、側壁部２ａの形状はこれに限られず、例えば、均一な肉厚（Ｔ１＝Ｔ２）を有してもよい。
【００１６】
ケース２に含まれるガラス繊維２２は、ケース２の補強剤として機能するだけでなく、光反射材として機能する。ガラス繊維２２がＬＥＤチップ４から発せられた光を反射し、樹脂による吸収を抑えることにより、発光装置１の光取出効率を向上させることができる。
【００１７】
ガラス繊維２２は、直径が６μｍ以上１３μｍ以下の円柱形状を有する。ケース２中のガラス繊維２２の含有量は、例えば、１質量％以上４０質量％以下である。
【００１８】
ガラス繊維２２と樹脂２１との界面で効率的に光を反射させるため、ガラス繊維２２と樹脂２１の屈折率は異なる。例えば、樹脂２１がポリフタルアミド樹脂、ＬＣＰ、ＰＣＴ、シリコーン系樹脂、又はエポキシ系樹脂である場合は、樹脂２１の屈折率は１．４５以上であるため、ガラス繊維２２の屈折率は１．４５未満であることが好ましい。また、例えば、樹脂２１がフッ素樹脂である場合は、樹脂２１の屈折率が１．４以下であるため、ガラス繊維２２の屈折率は１．４より大きいことが好ましい。
【００１９】
ガラス繊維２２の平均長は、側壁部２ａの肉厚よりも大きい。すなわち、ガラス繊維２２の平均長は、側壁部２ａの最も厚い部分の肉厚Ｔ２よりも大きい。このため、側壁部２ａの面方向に対して平行に近い角度でガラス繊維２２が配置され、より効果的に光を反射することができる。
【００２０】
また、ＬＥＤチップ４から発せられてケース２内に進入した光は、ガラス繊維２２内を伝播して側壁部２ａの内面から取り出されると考えられる。このため、ガラス繊維２２が長い方が、ケース２内を光が伝播しやすく、側壁部２ａの内面から取り出され易い。
【００２１】
ガラス繊維２２の平均長は２３０μｍ以上であることが好ましい。ガラス繊維２２の平均長は２３０μｍ以上であれば、側壁部２ａが６５μｍ以上、１０５μｍ以下という比較的薄い肉厚を有する場合であっても、ケース２の光吸収性を十分に抑えることができる。
【００２２】
特に、発光装置１がサイドビュー型のような薄型の発光装置である場合、ケース２の短手方向の幅Ｗが小さいことが求められる場合が多い。例えば、発光装置１がサイドビュー型であれば、ケース２の底壁部２ｂが発光装置１の取付面にほぼ垂直になるように取り付けられるため、ケース２の短手方向が発光装置１の厚さ方向になり、ケース２の短手方向の幅Ｗが小さいほど発光装置１の厚さが抑えられる。この様な場合、本実施の形態によれば、ケース２の光吸収性を十分に抑えつつ、側壁部２ａの肉厚を薄くし、短手方向の幅Ｗを小さくすることができるため、光取出効率に優れ、かつ薄型の発光装置１を得ることができる。
【００２３】
図２は、側壁部２ａの肉厚が６５μｍ以上、１０５μｍ以下、すなわち最も薄い部分の肉厚Ｔ１が６５μｍで最も厚い部分の肉厚Ｔ２が１０５μｍ、である場合の、ガラス繊維２２の平均長と発光装置１の光束との関係を表すグラフである。図２の横軸はガラス繊維２２の平均長（μｍ）を表し、縦軸はガラス繊維２２の平均長が１８４μｍのときの光束を１００％としたときの光束比（％）を表す。
【００２４】
図２は、側壁部２ａの肉厚が６５μｍ以上、１０５μｍ以下の場合に、ガラス繊維２２の平均長が大きいほど、発光装置１の光束が大きい、すなわち発光装置１の光取出効率が高いことを示している。
【００２５】
なお、ケース２にガラス繊維２２が含まれない場合の発光装置１の光束比は約９５％である。ガラス繊維２２の平均長が２３０μｍ以上である場合、ケース２にガラス繊維２２が含まれない場合と比較して光束を１０％以上向上させることができるため、ガラス繊維２２の平均長は２３０μｍ以上であることが好ましい。
【００２６】
なお、この測定に用いたケース２の短手方向の幅Ｗは６００μｍであり、ガラス繊維２２の長さの分布は０〜６００μｍであった。ケース２の短手方向の幅Ｗとガラス繊維２２の最大長が一致している理由については後述する。
【００２７】
（ケースの製造）
ケース２は、射出成形により製造される。まず、樹脂２１とガラス繊維２２の原料を樹脂押出機に投入し、シリンダーのヒーターの熱と、スクリューの回転の摩擦熱で樹脂を溶融する。その後、ガラス繊維２２の原料を含む溶融した樹脂２１の原料にスクリューにより圧力をかけ、樹脂押出機のノズルから金型に射出、注入する。
【００２８】
樹脂押出機から金型に注入された溶融樹脂は、流路であるスプルーを通り、分岐路であるランナーを通り、キャビティとコアでつくられた空間へ充填され、成形される。ここで、キャビティとコアでつくられた空間への入り口はゲートと呼ばれ、ケース２のゲート部２ｃは、樹脂２１のゲート内で固まった部分である。その後、成形されたガラス繊維２２を含む樹脂２１が金型から外され、ケース２が得られる。
【００２９】
ガラス繊維２２の原料を樹脂押出機に投入する際に、樹脂押出機の元込め位置ではなくサイドフィーダーから投入することにより、シリンダー内においてガラス繊維２２の原料に加わる力を抑え、ガラス繊維２２の平均長の低下を抑えることができる。これにより、平均長の長いガラス繊維２２を形成することができる。
【００３０】
例えば、原料を樹脂押出機の元込め位置に投入する場合に得られるガラス繊維２２の平均長を１００％とすると、原料をサイドフィーダーから投入した場合のガラス繊維２２の平均長は２３５％になる。ガラス繊維２２の原料として、例えば、カット長３〜６ｍｍ程度のチョップドストランドを用いることができる。
【００３１】
また、樹脂押出機のスクリューの回転数を抑えることにより、ガラス繊維の原料に加わる力を抑え、平均長の低下を抑えることができる。図３は、スクリューの回転数とガラス繊維２２の平均長の関係の一例を表すグラフである。図３の横軸はスクリューの回転数（ｒｐｍ）を表し、縦軸はスクリューの回転数が２２０ｒｐｍであるときのガラス繊維２２の平均長を１００％としたときのガラス繊維２２の平均長比（％）を表す。図３によれば、スクリューの回転数が７０ｒｐｍ、及び７５ｒｐｍ以下であるときのガラス繊維２２の平均長比は１２９％になる。
【００３２】
ただし、ガラス繊維２２の平均長は、ケース２の短手方向の幅Ｗ以下である。これは、射出成形の過程で、幅Ｗ以上の長さを有するガラス繊維は金型のランナーやゲートを通過する際に折れたり、通過できずに留まったりする場合が多く、ガラス繊維２２の最大長が幅Ｗとほぼ一致することによる。
【００３３】
上記のように、ガラス繊維２２の原料を樹脂押出機のサイドフィーダーから投入したり、スクリューの回転数を抑えたりすることにより、ガラス繊維２２の平均長の低下を抑えることができる。例えば、短手方向の幅Ｗが６００μｍ、側壁部２ａの肉厚Ｔ１が６５μｍ、Ｔ２が１０５μｍであるケース２を形成する場合には、平均長が２３０μｍ以上のガラス繊維２２をケース２内に形成することができる。
【００３４】
また、樹脂２１は、光反射材として機能する微粒子が分散した樹脂であることが好ましい。光反射材の微粒子は、例えば、酸化チタン、酸化亜鉛、酸化ジルコニウム、硫酸バリウム、硫化亜鉛、窒化ホウ素からなる。また、光反射材の微粒子は、例えば、直径が０．１μｍ以上０．３μｍ以下の略球形状を有し、ケース２中の含有量が１０質量％以上５０質量％以下であることが好ましい。樹脂２１が光反射材の微粒子を含む場合、ガラス繊維２２により光を拡散反射し、微粒子により光を正反射することができる。
【００３５】
リードフレーム３は、例えば、表面をＡｇでめっきしたＣｕからなる。
【００３６】
ＬＥＤチップ４の図示しないｎ電極及びｐ電極は、ワイヤー５ａ、５ｂを介してリードフレーム３ａ、３ｂにそれぞれ接続される（ワイヤボンディング）。また、ＬＥＤチップ４は、ダイボンディングペーストによりリードフレーム３に固定される。
【００３７】
なお、図１に示される発光装置１は、フェイスアップ型のＬＥＤチップをＬＥＤチップ４として用いたトップビュー型表面実装装置であるが、サイドビュー型、砲弾型、ＣＯＢ（Chip on Board）型等、他の構成を有してもよい。ＬＥＤチップ４も、フェイスアップ型に限られず、例えば、フリップチップ型であってもよい。
【００３８】
封止材６は、シリコーン系樹脂やエポキシ系樹脂からなる。封止材６は、蛍光体を含んでもよい。さらに、蛍光体を分散させる分散剤を含んでもよい。蛍光体は、分散状態で含有されてもよく、沈降状態で含有されてもよい。
【００３９】
（実施の形態の効果）
本実施の形態によれば、ケースに含まれるガラス繊維の平均長と、ケースの側壁部の肉厚との関係を適切に設定することにより、ＬＥＤチップから発せられる光のケースによる吸収を効果的に抑制し、光損失を抑制することができる。そのため、発光装置の光取出効率を向上させることができる。
【００４０】
また、ケースの側壁部の肉厚が薄い場合であっても、ＬＥＤチップから発せられる光のケースによる吸収を効果的に抑制することができるため、光取出効率に優れた薄型の発光装置を得ることができる。
【００４１】
本発明は、上記の実施の形態に限定されず、発明の主旨を逸脱しない範囲内において種々変形実施が可能である。
【００４２】
また、上記の実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００４３】
１          発光装置
２          ケース
２ａ        側壁部
４          ＬＥＤチップ
６          封止材
２１        樹脂
２２        ガラス繊維
【図１】
2014022407.tif 000003
【図２】
2014022407.tif 000004
【図３】
2014022407.tif 000005